(57)【要約】【課題】リムーバーの吸着ヘッド部をリムーバー置台の保持凹部の底まで容易に落下させることができ、使い勝手に優れたリムーバーセットを提供する。【解決手段】リムーバーセット１００におけるリムーバー１は、磁石２３を内蔵し、肌に塗布された美容剤を磁気吸引力により吸引して肌から除去するための吸着ヘッド部２と、吸着ヘッド部２に連なる付け根部３１と、付け根部３１から延設された把持部３と、を有している。付け根部３１は、その側周面に、周囲よりも内方に陥没した窪み部３１１を有している。リムーバー置台４は、吸着ヘッド部２の先端の形状に対応した凹状を呈する先端保持部４１１と、先端保持部４１１の上方に設けられた開口端部４１３と、先端保持部４１１と開口端部４１３との間における窪み部３１１に対面する部分に配置され、上方に向かうにつれて内方に変位するガイド部４１２と、を備えた保持凹部４１を有している。【選択図】図２２
2019058557.tif 000002
【特許請求の範囲】
【請求項１】
磁石を内蔵し、肌に塗布された美容剤を磁気吸引力により吸引して肌から除去するための吸着ヘッド部と、前記吸着ヘッド部に連なる付け根部と、前記付け根部から延設された把持部と、を備えたリムーバーと、
前記リムーバーを、前記把持部を上方に、前記吸着ヘッド部を下方に向けた保持姿勢で保持するためのリムーバー置台と、を有するリムーバーセットであって、
前記リムーバーにおける前記付け根部は、その側周面に、周囲よりも内方に陥没した窪み部を有し、
前記リムーバー置台は、前記リムーバーの前記吸着ヘッド部を収容して保持するための保持凹部を有しており、
前記保持凹部は、
前記リムーバー置台の内部に設けられ、前記保持姿勢の前記リムーバーにおける前記吸着ヘッド部の先端の形状に対応した凹状を呈する先端保持部と、
前記先端保持部の上方に設けられ、前記吸着ヘッド部が挿入される開口端部と、
前記先端保持部と前記開口端部との間における前記窪み部に対面する部分に配置され、前記先端保持部から上方に向かうにつれて内方に変位するガイド部と、
を有している、リムーバーセット。
【請求項２】
前記リムーバー置台における前記先端保持部は、前記保持姿勢の前記リムーバーにおける前記吸着ヘッド部の先端に対応する位置に、周囲よりも下方に陥没した先端逃がし部を有している、請求項１に記載のリムーバーセット。
【請求項３】
前記リムーバーにおける前記吸着ヘッド部は、前記保持姿勢とした場合における下方の端部に、周囲よりも弱い磁気吸引力を有し、または磁気吸引力を有しない美容剤拭き取り領域を有している、請求項１または２に記載のリムーバーセット。
【請求項４】
前記リムーバーにおける前記吸着ヘッド部は、
互いに対向する一対の主壁部と、
一対の前記主壁部の周縁同士を接続する周壁部と、
一対の前記主壁部の間において、前記各主壁部の内側面と磁極とが対面するように配置された磁石と、を有し、
前記保持姿勢とした場合における前記リムーバーの下半部分は、
一方の前記主壁部側から視た平面視における左側に、凸状に湾曲した輪郭を備えた山状曲線部を有し、
前記平面視における右側に、上方から下方に向かうにつれて内側に後退した後に外側に膨出し、再度内側に後退するＳ字状の輪郭を備えたＳ字状曲線部を有し、かつ、
前記山状曲線部と前記Ｓ字状曲線部との間に介在し、前記山状曲線部及び前記Ｓ字状曲線部のいずれの部分よりも曲率半径の小さな凸状に湾曲した輪郭を備えた先端部を有し、
前記リムーバー置台における保持凹部の先端保持部は、前記保持姿勢の前記リムーバーにおける前記先端部を下端として、前記山状曲線部の下半部分と、前記Ｓ字状曲線部の下半部分とにそれぞれ連なる形状に対応した凹状を呈しており、
前記ガイド部は、前記先端保持部における前記Ｓ字状曲線部に対応する部分と前記開口端部との間に配置されている、請求項１〜３のいずれか１項に記載のリムーバーセット。
【請求項５】
前記リムーバー置台の前記保持凹部は、前記先端保持部における前記山状曲線部に対応する部分と前記開口端部との間に、上方へ向かうほど拡開した形状を呈する拡開部を有している、請求項４に記載のリムーバーセット。
【請求項６】
前記リムーバー置台における前記開口端部は、前記Ｓ字状曲線部に対応する側の高さが前記山状曲線部に対応する側よりも高くなるように傾斜している、請求項４または５に記載のリムーバーセット。
【発明の詳細な説明】
【技術分野】
【０００１】
本発明は、リムーバーセットに関する。
【背景技術】
【０００２】
美容のために用いられるペースト状の美容剤は、塗布後に時間をおくことで皮膜状になるものと、時間をおいてもペースト状態を維持するものとに大別される。塗布後に皮膜状になる美容剤は、その一部を把持して引き剥がすことにより、容易に肌から分離することができる。一方、塗布後にペースト状態を維持する美容剤を使用後に肌から除去する方法としては、コットン等による拭き取りや、ぬるま湯等により洗い落とす方法が一般的である。
【０００３】
これらの一般的方法よりもより簡便に使用後の美容剤を除去する方法として、肌に塗布した美容剤を磁気吸引力により吸引して肌から除去する方法が提案されている。例えば、特許文献１には、把持部と、把持部に連なり、肌に塗布された美容剤を磁気吸引力により吸引して肌から除去するため吸着ヘッド部とを有するリムーバーが開示されている。
【０００４】
また、特許文献１には、リムーバーの吸着ヘッド部を収容するためのヘッド収容部を有するリムーバー置台が開示されている。このリムーバー置台は、リムーバーの姿勢を保持姿勢、即ち、把持部を上方に、吸着ヘッド部を下方に向けた姿勢にしてヘッド保持部内に吸着ヘッド部を差し込むことにより、リムーバーを保持姿勢で保持することができる。
【先行技術文献】
【特許文献】
【０００５】
【特許文献１】国際公開ＷＯ２０１６／０８４５３４号
【発明の概要】
【発明が解決しようとする課題】
【０００６】
リムーバーをリムーバー置台に差し込む作業においては、リムーバー置台のヘッド保持部内にリムーバーの吸着ヘッド部の先端を挿入した後、吸着ヘッド部の先端がヘッド保持部の底に到達するまでの間に、使用者がリムーバーの把持部から手を放すことがある。このとき、リムーバーの姿勢が前述した保持姿勢、即ち、把持部を上方に、吸着ヘッド部を下方に向けた姿勢となっている場合には、リムーバーが自重によって下方へ落下し、吸着ヘッド部の先端がヘッド保持部の底まで自然に差し込まれる。
【０００７】
しかし、自重によって落下する際のリムーバーの姿勢は、必ずしも前述した保持姿勢になるとは限らず、使用者が把持部から手を放した際のリムーバーの姿勢によっては、保持姿勢から傾いた姿勢をとる場合がある。保持姿勢から傾いた姿勢でリムーバーが落下すると、吸着ヘッド部の先端がヘッド保持部の底に到達する前にヘッド保持部の内壁面に引っ掛かりやすくなる。その結果、ヘッド保持部の底から吸着ヘッド部の先端が離れ、かつ、保持姿勢から傾いた姿勢でリムーバーの落下が停止しやすくなる。
【０００８】
このように、特許文献１のリムーバー置台においては、吸着ヘッド部がヘッド保持部の底まで差し込まれず、かつ、保持姿勢から傾いた不安定な姿勢でリムーバーの落下が停止することがある。前述したように不安定な姿勢でリムーバーの落下が停止した場合、ヘッド保持部の底まで吸着ヘッド部を差し込んでリムーバーの姿勢を安定させるために、使用者は、リムーバーの姿勢を保持姿勢に修正する必要がある。そのため、特許文献１のリムーバー置台は、使い勝手の点で改善の余地がある。
【０００９】
本発明は、かかる背景に鑑みてなされたものであり、リムーバーの吸着ヘッド部をリムーバー置台の保持凹部の底まで容易に落下させることができ、使い勝手に優れたリムーバーセットを提供しようとするものである。
【課題を解決するための手段】
【００１０】
本発明の一態様は、磁石を内蔵し、肌に塗布された美容剤を磁気吸引力により吸引して肌から除去するための吸着ヘッド部と、前記吸着ヘッド部に連なる付け根部と、前記付け根部から延設された把持部と、を備えたリムーバーと、
前記リムーバーを、前記把持部を上方に、前記吸着ヘッド部を下方に向けた保持姿勢で保持するためのリムーバー置台と、を有するリムーバーセットであって、
前記リムーバーにおける前記付け根部は、その側周面に、周囲よりも内方に陥没した窪み部を有し、
前記リムーバー置台は、前記リムーバーの前記吸着ヘッド部を収容して保持するための保持凹部を有しており、
前記保持凹部は、
前記リムーバー置台の内部に設けられ、前記保持姿勢の前記リムーバーにおける前記吸着ヘッド部の先端の形状に対応した凹状を呈する先端保持部と、
前記先端保持部の上方に設けられ、前記吸着ヘッド部が挿入される開口端部と、
前記先端保持部と前記開口端部との間における前記窪み部に対面する部分に配置され、前記先端保持部から上方に向かうにつれて内方に変位するガイド部と、
を有している、リムーバーセットにある。
【発明の効果】
【００１１】
前記リムーバーセットにおけるリムーバーは、把持部と吸着ヘッド部との間に、周囲よりも内方に陥没した窪み部を有している。また、リムーバー置台は、リムーバーの吸着ヘッド部を収容して保持するための保持凹部を有している。そして、保持凹部は、前記保持姿勢のリムーバーにおける前記吸着ヘッド部の先端の形状に対応した凹状を呈する先端保持部と、先端保持部の上方に設けられた開口端部と、先端保持部と開口端部との間における窪み部に対応する部分に配置され、先端保持部から上方に向かうにつれて内方に変位するガイド部とを有している。
【００１２】
前記リムーバーセットにおいて、リムーバー置台にリムーバーを差し込む作業は、例えば以下のようにして行うことができる。まず、吸着ヘッド部の先端を開口端部から保持凹部内に挿入した後、使用者が把持部から手を放すことにより、リムーバーを自重により落下させる。このとき、リムーバーの姿勢が前記保持姿勢である場合には、吸着ヘッド部の先端を自然に先端保持部の底まで差し込むことができる。
【００１３】
リムーバーの姿勢が、直立状態から傾いた姿勢、例えば、上方へ向かうにつれて把持部が窪み部側に傾いた姿勢である場合、吸着ヘッド部における窪み部側の表面をガイド部に当接させることができる。また、リムーバーが前記の姿勢をとっている場合には、保持姿勢における吸着ヘッド部の先端及び吸着ヘッド部における窪み部と反対側の表面の少なくとも一方を保持凹部に当接させることができる。その後、吸着ヘッド部の表面を先端保持部に沿って滑動させ、吸着ヘッド部の先端を自然に先端保持部の底まで差し込むことができる。
【００１４】
また、リムーバーの姿勢が、前記の姿勢と反対側に傾いた姿勢、つまり、把持部が上方へ向かうにつれて窪み部と反対側に傾いた姿勢である場合には、吸着ヘッド部における窪み部と反対側の表面を保持凹部に当接させることができる。また、リムーバーが前記の姿勢をとっている場合には、保持姿勢における吸着ヘッド部の先端及び吸着ヘッド部における窪み部側の表面の少なくとも一方をガイド部に当接させることができる。その後、保持姿勢におけるリムーバーの先端を先端保持部に沿って滑動させ、保持姿勢における吸着ヘッド部の先端下方の端部を自然に先端保持部の底まで差し込むことができる。
【００１５】
以上のように、前記リムーバーセットは、リムーバーの姿勢が前記保持姿勢から傾いた姿勢である場合にも、リムーバーの吸着ヘッド部をリムーバー置台の保持凹部の底まで容易に差し込むことができる。それ故、リムーバーをリムーバー置台に差し込む際に、使用者がリムーバーの姿勢を修正する作業の頻度を低減することができる。その結果、リムーバーセットの使い勝手を改善することができる。
【図面の簡単な説明】
【００１６】
【図１】実施例における、リムーバーセットの斜視図である。
【図２】実施例における、リムーバーの斜視図である。
【図３】実施例における、リムーバーの正面図である。
【図４】実施例における、リムーバーの背面図である。
【図５】実施例における、リムーバーの側面図である。
【図６】実施例における、リムーバーの上面図である。
【図７】実施例における、リムーバーの下面図である。
【図８】図５のVIII−VIII線矢視断面図である。
【図９】図６のIX−IX線矢視断面図である。
【図１０】図９における吸着ヘッド部の拡大図である。
【図１１】実施例における、リムーバーのケース蓋部の下面図である。
【図１２】実施例における、リムーバーを用いて肌に塗布された美容剤を肌から除去する作業の説明図である。
【図１３】実施例における、リムーバーに付着した使用済みの美容剤を除去する作業を説明する説明図である。
【図１４】実施例における、リムーバー置台の斜視図である。
【図１５】実施例における、リムーバー置台の正面図である。
【図１６】実施例における、リムーバー置台の背面図である。
【図１７】実施例における、リムーバー置台の側面図である。
【図１８】図１７における、突起近傍の拡大図である。
【図１９】実施例における、リムーバー置台の上面図である。
【図２０】実施例における、リムーバー置台の下面図である。
【図２１】図１７のXXI−XXI線矢視断面図である。
【図２２】図１９のXXII−XXII線矢視断面図である。
【図２３】図１９のXXIII−XXIII線矢視断面図である。
【図２４】実施例における、リムーバー置台の下部部品の斜視図である。
【図２５】実施例における、リムーバー置台の下部部品の上面図である。
【図２６】実施例における、リムーバーの吸着ヘッド部をリムーバー置台の保持凹部内に差し込む方法の一例を示す説明図（図２２に相当する矢視断面図）である。
【図２７】実施例における、リムーバーの吸着ヘッド部をリムーバー置台の保持凹部内に差し込む方法の一例を示す説明図（図２２に相当する矢視断面図）である。
【発明を実施するための形態】
【００１７】
前記リムーバーセットにおいて、前記リムーバーにおける窪み部は、付け根部の側周面の一部に設けられていてもよいし、側周面の全周に亘って設けられていてもよい。
【００１８】
前記リムーバーセットのリムーバー置台において、保持凹部の先端保持部は、保持姿勢、つまり、把持部を上方に、吸着ヘッド部を下方に向けた姿勢のリムーバーにおける吸着ヘッド部の先端に対応する位置に、周囲よりも下方に陥没した先端逃がし部を有していてもよい。この場合には、保持凹部内に挿入されたリムーバーの下方の端部を先端逃がし部から下方に突出させることができる。これにより、保持凹部内での吸着ヘッド部の位置決めをより容易に行うことができ、ひいてはリムーバーの姿勢をより安定させることができる。
【００１９】
前記リムーバーセットにおけるリムーバーは、肌に塗布された美容剤を磁気吸引力により吸引して肌から除去するための吸着ヘッド部と、吸着ヘッド部に連なる付け根部と、付け根部から延設された把持部と、を有している。吸着ヘッド部は、保持姿勢、即ち、把持部を上方に、吸着ヘッド部を下方に向けた姿勢における下方の端部に、周囲よりも弱い磁気吸引力を有し、または磁気吸引力を有しない美容剤拭き取り領域を有していてもよい。
【００２０】
特許文献１に開示されたような従来のリムーバーにおいては、吸着ヘッド部の先端に磁石が配置されている。そのため、吸着ヘッド部の先端全体で肌に塗布された美容剤を磁気吸引力によって吸引し、肌から使用済みの美容剤を除去することができる。しかし、磁気吸引力は吸着ヘッド部の表面に付着した美容剤にも作用するため、例えば吸着ヘッド部の先端に使用済みの美容剤を寄せ集めて拭き取ろうとしても、美容剤が磁気吸引力によって磁石側に引き寄せられ、吸着ヘッド部の表面に残りやすい。
【００２１】
かかる問題を回避し、吸着ヘッド部の表面に付着した美容剤を拭き取るためには、例えば、磁気吸引力の作用しない付け根部や把持部に美容剤を寄せ集めればよい。しかし、この場合には、使用者は、美容剤を付け根部や把持部まで移動させるために、リムーバーを持ち替えて吸着ヘッド部を手で把持する必要がある。
【００２２】
また、吸着ヘッド部の表面に使用済みの美容剤を付着させないようにするために、予め、吸着ヘッド部の表面にコットンシートや樹脂フィルム等のカバーを装着し、カバー越しに使用済みの美容剤を肌から吸引して除去する方法も考えられる。しかし、この場合には、予めカバーを準備し、吸着ヘッド部にカバーを装着する必要がある。
【００２３】
このように、特許文献１のリムーバーにおいては、吸着ヘッド部の表面に付着した使用済みの美容剤を吸着ヘッド部から除去する作業が煩雑になることがある。
【００２４】
かかる問題に対し、保持姿勢をとった場合における吸着ヘッド部の下方の端部、つまり把持部と反対側の端部に美容剤拭き取り領域を設けることにより、リムーバーの表面から美容剤をより簡便かつ容易に除去することができる。即ち、美容剤拭き取り領域は吸着ヘッド部の下方の端部に設けられているため、使用者は、把持部を把持したまま美容剤を美容剤拭き取り領域に寄せ集めることができる。
【００２５】
また、美容剤拭き取り領域は、周囲よりも弱い磁気吸引力を有し、または磁気吸引力を有しない。そのため、美容剤拭き取り領域に寄せ集められた美容剤を容易に拭き取り、リムーバーの表面から除去することができる。
【００２６】
それ故、保持姿勢をとった場合における吸着ヘッド部の下方の端部という特定の位置に美容剤拭き取り領域を設けることにより、リムーバーの表面から美容剤をより簡便かつ容易に除去することができる。
【００２７】
吸着ヘッド部の下方の端部に美容剤拭き取り領域を形成する方法としては、種々の方法を採用することができる。例えば、吸着ヘッド部の内部における磁石と美容剤拭き取り領域の内側面との間に軟磁性体が配置されていてもよい。この場合には、軟磁性体の存在によって、磁石による磁気吸引力を減衰させ、または遮蔽することができる。その結果、吸着ヘッド部の下方の端部に美容剤拭き取り領域を形成することができる。
【００２８】
また、吸着ヘッド部における美容剤拭き取り領域の内側面から離れた位置に磁石を配置してもよい。このように、磁石から美容剤拭き取り領域までの距離を大きくすることによっても、磁石による磁気吸引力を減衰させることができる。その結果、吸着ヘッド部の下方の端部に美容剤拭き取り領域を形成することができる。部品点数の増加を回避するとともに、リムーバーの組み立て作業を簡素化する観点からは、磁石を、吸着ヘッド部における美容剤拭き取り領域の内側面から離れた位置に配置することが好ましい。
【００２９】
前記リムーバーの前記吸着ヘッド部は、
互いに対向する一対の主壁部と、
一対の前記主壁部の周縁同士を接続する周壁部と、
一対の前記主壁部の間において、前記各主壁部の内側面と磁極とが対面するように配置された磁石と、を有していてもよい。
【００３０】
また、前記保持姿勢とした場合における前記リムーバーの下半部分は、
一方の前記主壁部側から視た平面視における左側に、凸状に湾曲した輪郭を備えた山状曲線部を有し、
前記平面視における右側に、上方から下方に向かうにつれて内側に後退した後に外側に膨出し、再度内側に後退するＳ字状の輪郭を備えたＳ字状曲線部を有し、かつ、
前記山状曲線部と前記Ｓ字状曲線部との間に介在し、前記山状曲線部及び前記Ｓ字状曲線部のいずれの部分よりも曲率半径の小さな凸状に湾曲した輪郭を備えた先端部を有していてもよい。
【００３１】
そして、前記リムーバー置台における保持凹部の先端保持部は、前記保持姿勢の前記リムーバーにおける前記先端部を下端として、前記山状曲線部の下半部分と、前記Ｓ字状曲線部の下半部分とにそれぞれ連なる形状に対応した凹状を呈しており、
前記ガイド部は、前記先端保持部における前記Ｓ字状曲線部に対応する部分と前記開口端部との間に配置されていてもよい。
【００３２】
前記特定の形状を備えたリムーバーとリムーバー置台とを組み合わせて使用することにより、リムーバーの姿勢が前記保持姿勢から傾いた姿勢である場合にも、リムーバーの吸着ヘッド部をリムーバー置台の保持凹部の底までより容易に差し込むことができる。
【００３３】
リムーバー置台の保持凹部は、先端保持部における山状曲線部に対応する部分と開口端部との間に、上方へ向かうほど拡開した形状を呈する拡開部を有していてもよい。この場合には、保持凹部内に吸着ヘッド部を挿入した後に、山状曲線部と拡開部とを当接させ、山状曲線部を拡開部に沿ってよりスムーズに滑動させることができる。これにより、リムーバーの先端部をより容易に先端保持部の底まで差し込むことができる。
【００３４】
開口端部は、Ｓ字状曲線部に対応する側の高さが山状曲線部に対応する側よりも高くなるように傾斜していてもよい。この場合には、ガイド部をより広い範囲に亘って配置することができる。そのため、保持凹部内に吸着ヘッド部２を挿入した後に、周壁部におけるＳ字状曲線部を構成する部分や先端部を構成する部分をより容易にガイド部に当接させることができる。その結果、リムーバーの先端部をより容易に先端保持部の底まで差し込むことができる。
【実施例】
【００３５】
前記リムーバーセットの実施例を、図１〜図２７を用いて説明する。図１に示すように、リムーバーセット１００は、リムーバー１と、リムーバー置台４と、を有している。リムーバー１は、図５及び図１２に示すように、磁石２３を内蔵し、肌に塗布された美容剤Ａを磁気吸引力により吸引して肌から除去するための吸着ヘッド部２と、吸着ヘッド部２に連なる付け根部３１と、付け根部３１から延設された把持部３と、を有している。リムーバー置台４は、図１、図１７、図２２及び図２３に示すように、リムーバー１を保持姿勢、即ち、把持部３を上方に、吸着ヘッド部２を下方に向けた姿勢で保持することができるように構成されている。
【００３６】
リムーバー１における付け根部３１は、図２、図５及び図９に示すように、その側周面に、周囲よりも内方に陥没した窪み部３１１を有している。
【００３７】
リムーバー置台４は、図１４〜図１５、図１９及び図２１〜図２３に示すように、リムーバー１の吸着ヘッド部２を収容して保持するための保持凹部４１を有している。保持凹部４１は、図２２に示すように、先端保持部４１１と、ガイド部４１２と、開口端部４１３と、を有している。
【００３８】
図２１〜図２３に示すように、先端保持部４１１は、リムーバー置台４の内部における保持凹部４１の底部に設けられており、保持姿勢のリムーバー１における下半部分に対応した凹状を呈している。先端保持部４１１は吸着ヘッド部２の下半部分を保持することができる。
【００３９】
図１４〜図１５、図１７、図１９及び図２２〜図２３に示すように、開口端部４１３は、先端保持部４１１の上方に設けられている。吸着ヘッド部２は、例えば図２６〜図２７に示すように、開口端部４１３から保持凹部４１内に挿入される。図２２に示すように、ガイド部４１２は、先端保持部４１１と開口端部４１３との間における窪み部３１１に対面する部分に配置されており、先端保持部４１１から上方に向かうにつれて内方に変位している。
【００４０】
以下、リムーバー１及びリムーバー置台４の構成を詳説する。まず、リムーバー１の構成について説明する。
【００４１】
図２及び図５〜図７に示すように、リムーバー１は、全体として略棒状を呈しており、その長手方向に吸着ヘッド部２と把持部３とが互いに並んで配置されている。以下において、リムーバー１の長手方向における吸着ヘッド部２側を前方といい、把持部３側を後方ということがある。これらのリムーバー１の前後方向に関する記載は便宜上のものであり、例えば、肌から美容剤Ａを除去する作業を行う際のリムーバー１の向きや、保持姿勢におけるリムーバー１の向きとは何ら関係がない。
【００４２】
図５に示すように、リムーバー１の前半部分、即ち、吸着ヘッド部２の前端２００から付け根部３１までに至る部分は、付け根部３１において内方にくびれ、吸着ヘッド部２において外方に膨出した形状を有している。
【００４３】
より具体的には、図５に示すようにリムーバー１を保持姿勢とした場合におけるリムーバー１の下半部分は、一方の主壁部２１側から視た平面視における左側に、凸状に湾曲した輪郭を備えた山状曲線部１１を有している。また、リムーバー１の下半部分は、前記平面視における右側に、上方から下方に向かうにつれて内側に後退した後に外側に膨出し、再度内側に後退するＳ字状の輪郭を備えたＳ字状曲線部１２を有している。更に、リムーバー１の下半部分は、山状曲線部１１とＳ字状曲線部１２との間に介在し、山状曲線部１１及びＳ字状曲線部１２のいずれの部分よりも曲率半径の小さな凸状に湾曲した輪郭を備えた先端部１３を有している。そして、保持姿勢におけるＳ字状曲線部１２の上半部分、つまり、上方から下方に向かうにつれて内側に後退した後に外側に膨出している部分が付け根部３１の窪み部３１１を構成している。
【００４４】
図３〜図７に示すように、リムーバー１の後半部分、即ち、把持部３における吸着ヘッド部２の付け根部３１よりも後方の部分は、吸着ヘッド部２の付け根部３１から後方に向かうにつれて徐々に外径が太くなり、吸着ヘッド部２の付け根部３１と把持部３の後端との中間部３２における外径が最も太くなっている。また、把持部３は、中間部３２よりも後方に向かうにつれて徐々に外径が細くなっている。
【００４５】
図２、図５及び図９に示すように、リムーバー１の前方には、吸着ヘッド部２が設けられている。吸着ヘッド部２は、一対の主壁部２１と、主壁部２１の周縁同士を接続する周壁部２２と、一対の主壁部２１の間に配置された磁石２３とを有している。磁石２３は、図９に示すように、厚み方向から視た平面視における吸着ヘッド部２の概ね中央に配置されている。本例の磁石２３は、円板状を呈しており、その厚み方向に着磁されている。また、図８に示すように、磁石２３における磁極２３１としての一対の端面２３２は、それぞれ主壁部２１の内側面２１１に対面している。
【００４６】
図５に示すように、本例の吸着ヘッド部２は、把持部３における吸着ヘッド部２の付け根部３１から前方、つまりリムーバー１の先端部１３側へ向かうにつれて、厚み方向から見た平面視における幅が徐々に広くなっている。また、吸着ヘッド部２は、把持部３における付け根部３１と吸着ヘッド部２の前端２００との間に、厚み方向から見た平面視における幅が最も大きい最大幅部２４を有している。
【００４７】
吸着ヘッド部２の前半部分、つまり、最大幅部２４よりも前方の部分は、前方へ向かうにつれて徐々に幅が狭くなる先細り形状を呈している。また、吸着ヘッド部２は、図３及び図８に示すように、山状曲線部１１側において最大の厚みを有しており、Ｓ字状曲線部１２側に近くなるほど徐々に厚みが薄くなっている。
【００４８】
本例の吸着ヘッド部２は、厚み方向から視た平面視における主壁部２１の概ね中央、即ち、磁石２３の端面２３２に対面している部分において最も強い磁気吸引力を有している。それ故、図１２に示すように、肌に塗布された美容剤Ａに主壁部２１を接近させることにより、美容剤Ａを磁気吸引力によって吸引し、肌から美容剤Ａを除去することができる。なお、本例の磁石２３の直径は３０ｍｍであり、厚みは８ｍｍである。また、一対の端面２３２の中心における表面磁束密度の大きさは２２０ｍＴ以上である。
【００４９】
また、図５及び図９に示すように、リムーバー１を、把持部３を上方に、吸着ヘッド部２を下方に向けた保持姿勢とした場合の吸着ヘッド部２の下方の端部（つまり、吸着ヘッド部２の前端２００及びその周辺部分）には、周囲よりも弱い磁気吸引力を有する美容剤拭き取り領域２５が設けられている。本例のリムーバー１においては、図１０に示すように、周壁部２２における美容剤拭き取り領域２５の内側面２５１から離れた位置に磁石２３を配置し、吸着ヘッド部２の前方の端部における磁気吸引力を周囲よりも減衰させることにより、吸着ヘッド部２の前方の端部に美容剤拭き取り領域２５を形成している。
【００５０】
図１０に示すように、磁石２３の側周面２３３から吸着ヘッド部２における周壁部２２の外表面までの距離は、把持部３における吸着ヘッド部２の付け根部３１から前方へ向かうにつれて徐々に短くなっている。そして、前記距離は、吸着ヘッド部２における最大幅部２４の近傍において最も短くなった後、吸着ヘッド部２の前端２００に近づくにつれて徐々に長くなっている。
【００５１】
例えば、磁石２３の側周面２３３から吸着ヘッド部２の前端２００までの長手方向における距離Ｌ１は１４．３ｍｍである。また、磁石２３の中心２３４を通り長手方向に直交する方向に延設された直線上における、磁石２３の側周面２３３から山状曲線部１１までの距離Ｌ２は６．１ｍｍである。また、磁石２３の中心２３４を通り長手方向に直交する方向に延設された直線上における、磁石２３の側周面２３３からＳ字状曲線部１２までの距離Ｌ３は７．３ｍｍである。
【００５２】
本例のリムーバー１においては、磁石２３から周壁部２２の外表面までの距離を前述のごとく設定することにより、美容剤拭き取り領域２５における磁気吸引力を周囲よりも減衰させている。これにより、美容剤拭き取り領域２５に付着した美容剤を容易に拭き取り、吸着ヘッド部２から除去することができる。なお、周壁部２２における最大幅部２４の近傍は、美容剤拭き取り領域２５よりも強い磁気吸引力を有している。そのため、周壁部２２における最大幅部２４の近傍を肌に塗布された美容剤Ａに接近させることにより、美容剤Ａを磁気吸引力によって吸引し、肌から美容剤Ａを除去することができる。
【００５３】
図５及び図９に示すように、本例のリムーバー１における吸着ヘッド部２及び把持部３の外壁は、Ｓ字状曲線部１２を備え長手方向の全体に亘って延設されたケース基部１４と、山状曲線部１１を備え長手方向の全体に亘って延設されたケース蓋部１５とから構成されている。図９に示すように、ケース基部１４とケース蓋部１５との間には、磁石２３を収容する内部空間１６が形成されている。
【００５４】
図９に示すように、ケース基部１４は、長手方向における各端部に設けられた２か所のボス１４１と、長手方向における各端部及び把持部３における吸着ヘッド部２の付け根部３１に設けられた３か所の爪受け部１４２とを有している。また、図８及び図９に示すように、ケース基部１４の前方の端部には、磁石２３を保持するための磁石受け部１４３が設けられている。
【００５５】
図９及び図１１に示すように、ケース蓋部１５は、長手方向における各端部に設けられた２か所の位置決め突起１５１と、長手方向の各端部及び把持部３における吸着ヘッド部２の付け根部３１に設けられた３か所の係合爪１５２とを有している。図９に示すように、位置決め突起１５１は、ケース基部１４に設けられたボス１４１内に挿入されている。また、係合爪１５２は、ケース基部１４に設けられた爪受け部１４２に係合されている。これにより、ケース蓋部１５とケース基部１４とが互いに係合されている。
【００５６】
図１１に示すように、ケース蓋部１５の外周縁には外周溝１５３が設けられている。図には示さないが、外周溝１５３内には、ケース蓋部１５とケース基部１４とを接着するための接着材が保持されている。ケース蓋部１５の外周縁とケース基部１４の外周縁とは、接着材を介して互いに接合されている。
【００５７】
外周溝１５３における内側の壁１５４には、１０か所の切欠き１５５が設けられている。これにより、ケース蓋部１５とケース基部１４とを組み合わせた際に接着材を切欠き１５５からケースの内部空間１６へ逃がし、ケースの外部への接着材の漏出を抑制することができる。
【００５８】
また、図８、図９及び図１１に示すように、ケース蓋部１５の前方の端部には、磁石２３をケース基部１４の磁石受け部１４３側へ押圧するための磁石抑え部１５６が設けられている。図８及び図９に示すように、吸着ヘッド部２内に収容された磁石２３は、ケース基部１４の磁石受け部１４３と、ケース蓋部１５の磁石抑え部１５６との間に保持されている。
【００５９】
次に、リムーバー置台４の構成を説明する。
【００６０】
本例のリムーバー置台４は、図１４〜図１７に示すように、底面４２から上方に向かうにつれて外寸法が徐々に小さくなる略錐台状を呈している。リムーバー置台４の底面４２は、図２０に示すように略楕円状を呈している。また、図１９に示すように、リムーバー置台４は、上面視における頂部４３の概ね中央に、リムーバー１を保持姿勢、つまり、把持部３を上方に、吸着ヘッド部２を下方に向けた姿勢（図１、図２２及び図２３参照）で保持するための保持凹部４１を有している。
【００６１】
図２２に示すように、保持凹部４１は、その底部に配置された先端保持部４１１と、上端に配置された開口端部４１３とを有している。本例の先端保持部４１１は、保持姿勢、つまり、把持部３を上方に、吸着ヘッド部２を下方に向けた姿勢におけるリムーバー１の先端部１３を下端として、山状曲線部１１の下半部分と、Ｓ字状曲線部１２の下半部分とにそれぞれ連なる形状に対応した凹状を呈している。先端保持部４１１におけるＳ字状曲線部１２に対応する部分４１１ａと開口端部４１３との間には、ガイド部４１２が配置されている。また、先端保持部４１１における山状曲線部１１に対応する部分４１１ｂと開口端部４１３との間には、上方へ向かうほど拡開した形状を呈する拡開部４１６が配置されている。
【００６２】
図２１〜図２３に示すように、先端保持部４１１は、保持姿勢における吸着ヘッド部２の下半部分に対応した凹状を呈している。図２２に示すように、先端保持部４１１におけるリムーバー１の先端部１３に対応する位置には、周囲よりも下方に陥没した先端逃がし部４１４が設けられている。また、本例の先端保持部４１１は、先端逃がし部４１４から下方に延設され、リムーバー置台４の底面４２に開口した筒状部４１５を有している。
【００６３】
先端保持部４１１は、図２２に示すようにリムーバー１の先端部１３を先端逃がし部４１４から下方に突出させ、かつ、図２１〜図２３に示すように吸着ヘッド部２の下半部分との間にほとんどクリアランスがない状態で吸着ヘッド部２を保持することができる。
【００６４】
図２２に示すように、先端保持部４１１におけるＳ字状曲線部１２に対応する部分４１１ａの上方には、ガイド部４１２が連なっている。本例のガイド部４１２は、先端保持部４１１におけるＳ字状曲線部１２に対応する部分４１１ａとの境界を下端４１２ａ、リムーバー１における把持部３の付け根部３１に対面する位置を上端４１２ｂとして、下端４１２ａから上端４１２ｂまでの範囲に亘って配置されている。
【００６５】
ガイド部４１２は、前述した下端４１２ａから上方へ向かうにつれて、内方、即ちリムーバー１が配置される側に徐々に変位している。図２２に示す断面、つまり、底面４２の中心を通り長手方向に沿って切断したリムーバー置台４の断面におけるガイド部４１２の輪郭は、内方に凸となる曲率を備えた弧状を呈している。また、ガイド部４１２の上端４１２ｂにおいて、下端４１２ａを基準としたときの内方への変位量が最も大きくなっている。
【００６６】
なお、保持凹部４１におけるガイド部４１２よりも上方の部分４１７は、ガイド部４１２の上端４１２ｂから上方に向かうにつれて徐々に外方へ変位し、開口端部４１３に接続されている。図２２に示す断面におけるガイド部４１２よりも上方の部分４１７の輪郭は、内方に凸となる曲率を備えた弧状を呈している。
【００６７】
本例のリムーバーセット１００では、リムーバー１がリムーバー置台４に保持された状態において、Ｓ字状曲線部１２とガイド部４１２との間に隙間Ｓが形成される。
【００６８】
図２２に示すように、先端保持部４１１における山状曲線部１１に対応する部分４１１ｂの上方には、拡開部４１６が連なっている。本例の拡開部４１６は、滑らかな曲面からなり、上方へ向かうにつれて拡開した形状を呈している。図２２に示す断面、つまり、底面４２の中心を通り長手方向に沿って切断したリムーバー置台４の断面における拡開部４１６の輪郭は、上方に凸となる曲率を備えた弧状を呈している。
【００６９】
図１４〜図１５、図１７及び図２２に示すように、保持凹部４１の上端には、吸着ヘッド部２を挿入するための開口端部４１３が設けられている。図２２に示すように、開口端部４１３は、拡開部４１６、先端保持部４１１における一対の主壁部２１に対応する部分（図示略）及びガイド部４１２のそれぞれに接続されている。本例の開口端部４１３は、Ｓ字状曲線部１２に対応する側４１３ａの高さが山状曲線部１１に対応する側４１３ｂよりも高くなるように傾斜している。
【００７０】
リムーバー置台４は、リムーバー１を保持した状態において、吸着ヘッド部２内の磁石２３からリムーバー置台４の外表面までの距離を十分に大きくし、リムーバー１の磁石２３から発生する磁束を減衰させることができるように構成されている。具体的には、本例のリムーバー置台４にリムーバー１を保持した状態において、磁石２３の中心２３４を通り鉛直下方に延びた直線上における磁石２３の側周面２３３からリムーバー置台４の底面４２までの距離Ｄ１は２６．７ｍｍ（図１７参照）である。本例のリムーバー置台４にリムーバー１が保持された場合、リムーバー置台４の底面４２上のいずれの位置においても、磁石２３により生じた磁束密度は５０ｍＴ以下となる。
【００７１】
また、磁石２３の中心２３４を通りＳ字状曲線部１２側に延びた水平線上における磁石２３の側周面２３３からリムーバー置台４の側面４４までの距離Ｄ２（図２１参照）は１３．４ｍｍである。なお、磁石２３の中心２３４を通り山状曲線部１１側に延びた水平線上においては、当該水平線がリムーバー置台４の側面４４から上方に外れた位置を通る。そのため、磁石２３の側周面２３３からリムーバー置台４までの距離を正確に規定することができないが、図２１に示す、磁石２３の側周面２３３から開口端部４１３と側面４４との境界４４１までの水平方向における距離Ｄ３は１３．４ｍｍとなる。
【００７２】
図２３に示す、磁石２３の下端２３５から磁石２３の厚み方向に延びた直線上における、磁石２３の端面２３２からリムーバー置台４の側面４４までの距離Ｄ４は、２１．８ｍｍである。また、磁石２３の上端２３６から磁石２３の厚み方向に延びた直線上における磁石２３の端面２３２からリムーバー置台４の側面４４までの距離Ｄ５は、１２．６ｍｍである。
【００７３】
本例のリムーバー置台４にリムーバー１が保持された場合、リムーバー置台４の側面４４上のいずれの位置においても、磁石２３により生じた磁束密度は８０ｍＴ以下となる。
【００７４】
図２２及び図２３に示すように、リムーバー置台４は、その側面４４、頂部４３及び保持凹部４１を構成する上部部品５と、その底面４２を構成する下部部品６とを有している。上部部品５は下方に開口しており、下部部品６は上部部品５の開口端に取り付けられている。
【００７５】
図２１に示すように、上部部品５の内部には、保持凹部４１から放射状に延設された６か所のリブ５１が設けられている。また、図１５、図１６及び図２０に示すように、上部部品５は、その下端縁に、下方に突出した３か所の突起５２を有している。リムーバー置台４は、机やテーブル等に載置した際に、これらの突起５２によって支持される。そして、リムーバー置台４を机やテーブル等に載置した状態において、突起５２の存在により底面４２と机等との間に隙間を形成することができる。図１８に示す、本例のリムーバー置台４における突起５２の高さｈは０．８ｍｍである。
【００７６】
下部部品６は、図２０に示すように、上部部品５の開口形状に対応した略楕円板状を呈している。図２４及び図２５に示すように、下部部品６の外周縁部には、上方に向かって立設された環状リブ６１と、環状リブ６１から放射状に延設された６か所の放射状リブ６２とが設けられている。環状リブ６１には、上部部品５のリブとの干渉を回避するための切欠き６１１が設けられている。図２３に示すように、環状リブ６１の上端６１２及び放射状リブ６２の上端は、上部部品５の内側面の近傍まで延設されており、両者の間にはごくわずかなクリアランスが形成されている。
【００７７】
次に、本例のリムーバーセット１００の作用効果を説明する。リムーバーセット１００におけるリムーバー１は、図５に示すように、把持部３と吸着ヘッド部２との間に周囲よりも内方に陥没した窪み部３１１を有している。また、リムーバー置台４は、図２２に示すように、リムーバー１の吸着ヘッド部２を収容して保持するための保持凹部４１を有している。そして、保持凹部４１は、前記保持姿勢における吸着ヘッド部２の先端の形状に対応した凹状を呈する先端保持部４１１と、先端保持部４１１の上方に設けられた開口端部４１３と、先端保持部４１１と開口端部４１３との間における窪み部３１１に対応する部分に配置され、先端保持部４１１から上方に向かうにつれて内方に変位するガイド部４１２とを有している。
【００７８】
本例のリムーバーセット１００において、リムーバー置台４にリムーバー１を差し込む作業は、例えば以下のようにして行うことができる。まず、リムーバー１の先端部１３を開口端部４１３から保持凹部４１内に挿入した後、使用者が把持部から手を放すことにより、リムーバー１を自重により落下させる。このとき、リムーバー１の姿勢が前記保持姿勢である場合には、図２２に示すように、リムーバー１の先端部１３を自然に先端保持部４１１の底まで差し込むことができる。
【００７９】
図２６に示すように、リムーバー１の姿勢が、上方へ向かうにつれて把持部３が窪み部３１１側（つまり、Ｓ字状曲線部１２側）に傾いた姿勢である場合には、以下のようにしてリムーバー１の先端部１３が保持凹部４１内に差し込まれる。まず、保持姿勢における吸着ヘッド部２の下端（つまり、周壁部２２における先端部１３を構成する部分２２ｃ）と先端保持部４１１における山状曲線部１１に対応する部分４１１ｂとが当接する。次いで、両者が摺動する際の摩擦抵抗によってリムーバー１の下方への動きが止まり、リムーバー１のＳ字状曲線部１２側への傾きが大きくなる。そして、図２６に示すように周壁部２２におけるＳ字状曲線部１２を構成する部分２２ａがガイド部４１２に当接する。
【００８０】
このとき、ガイド部４１２が上端４１２ｂから下端４１２ａへ向かうにつれて外方へ後退しているため、吸着ヘッド部２が下方へ移動する余地がある。それ故、保持状態におけるリムーバー１の下方の端部（つまり、先端部１３）が先端保持部４１１における山状曲線部１１に対応する部分４１１ｂに沿って滑動することができる（矢印１３０）。以上の結果、リムーバー１の先端部１３を自然に先端保持部４１１の底まで差し込むことができる。
【００８１】
また、図２７に示すように、リムーバー１の姿勢が、上方へ向かうにつれて把持部３が窪み部３１１と反対側（つまり、山状曲線部１１側）に傾いた姿勢をとっている場合には、以下のようにしてリムーバー１の先端部１３が保持凹部４１内に差し込まれる。まず、吸着ヘッド部２における窪み部３１１と反対側の表面（つまり、周壁部２２における山状曲線部１１を構成する部分２２ｂ）と、保持凹部４１における拡開部４１６とが当接する。その後、山状曲線部１１が拡開部４１６上を滑動することにより、図２７に示すように、周壁部２２におけるＳ字状曲線部１２を構成する部分２２ａがガイド部４１２に当接する。
【００８２】
このとき、ガイド部４１２が、その下端４１２ａへ向かうにつれて外方へ後退しているため、吸着ヘッド部２が下方へ移動する余地がある。それ故、保持姿勢におけるリムーバー１の下方の端部（つまり、先端部１３）が先端保持部４１１における山状曲線部１１に対応する部分４１１ｂに当接し、さらには当該部分４１１ｂに沿って滑動することができる（矢印１３１）。以上の結果、リムーバー１の先端部１３を自然に先端保持部４１１の底まで差し込むことができる。
【００８３】
以上のように、リムーバーセット１００は、リムーバー１の姿勢が前記保持姿勢からＳ字状曲線部１２側または山状曲線部１１側のいずれかに傾いた姿勢である場合にも、リムーバー１の吸着ヘッド部２をリムーバー置台４の保持凹部４１の底まで容易に差し込むことができる。それ故、リムーバーセット１００によれば、リムーバー１をリムーバー置台４に差し込む際に、使用者がリムーバー１の姿勢を修正する作業の頻度を低減することができる。その結果、リムーバーセット１００の使い勝手を改善することができる。
【００８４】
図２２に示すように、保持凹部４１の先端保持部４１１は、リムーバー１の先端部１３に対応する位置に、周囲よりも下方に陥没した先端逃がし部４１４を有している。そのため、保持凹部４１内に挿入されたリムーバー１の先端部１３を先端逃がし部４１４から下方に突出させることができる。これにより、保持凹部４１内での吸着ヘッド部２の位置決めをより容易に行うことができ、ひいてはリムーバー１の姿勢をより安定させることができる。
【００８５】
開口端部４１３は、Ｓ字状曲線部１２に対応する側４１３ａの高さが山状曲線部１１に対応する側４１３ｂよりも高くなるように傾斜している。そのため、ガイド部４１２をより広い範囲に亘って配置し、保持凹部４１内に吸着ヘッド部２を挿入した後に、周壁部２２におけるＳ字状曲線部１２を構成する部分２２ａや先端部１３を構成する部分２２ｃをより容易にガイド部４１２に当接させることができる。その結果、リムーバー１の先端部１３をより容易に先端保持部４１１の底まで差し込むことができる。
【００８６】
保持凹部４１は、先端保持部４１１における山状曲線部１１に対応する部分４１１ｂと開口端部４１３との間に、上方へ向かうほど拡開した形状を呈する拡開部４１６を有している。そのため、保持凹部４１内に吸着ヘッド部２を挿入した後に、例えば図２７に示すように、山状曲線部１１と拡開部４１６とを当接させ、山状曲線部１１を拡開部４１６に沿ってよりスムーズに滑動させることができる。これにより、リムーバー１の先端部１３をより容易に先端保持部４１１の底まで差し込むことができる。
【００８７】
リムーバー１は、一対の主壁部２１と、一対の主壁部２１の周縁同士を接続する周壁部２２と、一対の主壁部２１の間に配置された磁石２３と、を備えた吸着ヘッド部２を有している。また、図５及び図１０に示すように、リムーバー１を保持姿勢、つまり、把持部３を上方に、吸着ヘッド部２を下方に向けた状態における吸着ヘッド部２の下方の端部には、周囲よりも弱い磁気吸引力を有する美容剤拭き取り領域２５が設けられている。それ故、図１３に示すように、吸着ヘッド部２の表面に付着した美容剤Ａを矢印２５０に示すように美容剤拭き取り領域２５に寄せ集めた後、美容剤拭き取り領域２５の表面から美容剤Ａを容易に拭き取ることができる。それ故、リムーバー１は、吸着ヘッド部２の表面から美容剤Ａを容易に除去することができる。
【００８８】
また、美容剤拭き取り領域２５の表面は、吸着ヘッド部２の下方の端部という特定の位置に設けられている。そのため、使用者は、把持部３を把持したまま美容剤Ａを美容剤拭き取り領域２５に寄せ集め、更には吸着ヘッド部２から拭き取る作業を行うことができる。それ故、リムーバー１によれば、従来のリムーバー１よりも簡便に吸着ヘッド部２から使用済みの美容剤Ａを除去することができる。
【００８９】
さらに、保持姿勢における本例の吸着ヘッド部２の下半部分の形状は、図１０に示すように、最大幅部２４よりも前方へ向かうにつれて幅が狭くなる先細り形状を有しており、美容剤拭き取り領域２５は、先細り形状を有する部分に設けられている。そのため、美容剤拭き取り領域２５に寄せ集めた美容剤Ａをより容易に拭き取ることができる。
【００９０】
磁石２３は、吸着ヘッド部２内において、周壁部２２における美容剤拭き取り領域２５の内側面２５１から離れた位置に配置されている。これにより、リムーバー１の下方の端部に美容剤拭き取り領域２５を形成することができる。また、美容剤拭き取り領域２５を形成するに当たって軟磁性体等の他の部品を取り付ける必要がないため、部品点数の増加を回避するとともに、リムーバー１の組み立て作業を簡素化することができる。
【００９１】
図５及び図９に示すように、リムーバー１を保持姿勢とした場合のリムーバー１の下半部分は、一方の主壁部２１側から視た平面視における左側に、凸状に湾曲した輪郭を備えた山状曲線部１１を有している。また、前記平面視における右側に、上方から下方に向かうにつれて内側に後退した後に外側に膨出し、再度内側に後退するＳ字状の輪郭を備えたＳ字状曲線部１２を有している。そして、山状曲線部１１とＳ字状曲線部１２との間に介在し、山状曲線部１１及びＳ字状曲線部１２のいずれの部分よりも曲率半径の小さな凸状に湾曲した輪郭を備えた先端部１３を有している。
【００９２】
そのため、把持部３が手にフィットしやすい形状となり、使用済みの美容剤Ａを肌から除去する作業において、リムーバー１の姿勢を容易に安定させることができる。また、図１２に示すように、Ｓ字状曲線部１２側が美容剤Ａにより近くなるようにして吸着ヘッド部２を肌に接近させることにより、把持部３を人体と干渉しにくくすることができる。その結果、使用済みの美容剤Ａを吸着して肌から除去する作業を隅々まで容易に行うことができる。これらの結果、使用済みの美容剤Ａを肌から除去する作業におけるリムーバー１の使い勝手をより向上させることができる。
【００９３】
また、本例のリムーバー置台４は、上部部品５の下端縁に、リムーバー置台４を支持するための突起５２を有している。そのため、リムーバー置台４の底面４２と机等との間の隙間に水などの液体が進入した場合に、液体の表面張力によってリムーバー置台４が机等に吸着される現象を容易に回避することができる。
【００９４】
リムーバー置台４の底面４２には、筒状部４１５が開口している。そのため、リムーバー置台４の底面４２と机等との間の隙間に水などの液体が進入した場合に、液体の表面張力によって筒状部４１５内に液体を吸い寄せることができる。その結果、液体の表面張力によってリムーバー置台４が机等に吸着される現象を容易に回避することができる。
【００９５】
図２４及び図２５に示すように、リムーバー置台４の下部部品６は、上方に立設された環状リブ６１と放射状リブ６２とを有している。リムーバー置台４は、これらのリブによって剛性を高め、リムーバー１が保持凹部４１に当接した際の振動を減衰させることができる。その結果、リムーバー１が保持凹部４１に当接した際に発生する音を小さくすることができる。
【００９６】
また、図２３に示すように、リムーバー置台４の内部空間４５、即ち、上部部品５と下部部品６との間に形成される空間は、環状リブ６１と放射状リブ６２とによって複数の小空間４５１に区画されている。これにより、リムーバー１が保持凹部４１に当接した際に発生する音の反響を低減し、リムーバー１が保持凹部４１に当接した際に発生する音を小さくすることができる。さらに、リムーバー１が保持凹部４１に当接した際に発生する音の周波数を調整し、使用者にとって不快な音の発生を抑制することもできる。
【００９７】
本発明に係るリムーバー１及びリムーバーセット１００の態様は、上述した実施例の態様に限定されるものではなく、その趣旨を損なわない範囲で適宜変更することができる。例えば、リムーバー１における磁石２３の配置は、磁石２３の形状や磁束密度の大きさに応じて適宜変更することができる。磁石２３の側周面２３３から美容剤拭き取り領域２５までの距離は、美容剤拭き取り領域２５における磁束密度を十分に低減でき、または磁束密度をゼロにすることができる範囲であれば、実施例１の距離Ｌ１よりも長くしてもよいし、短くしてもよい。
【００９８】
また、リムーバー置台４における、磁石２３から底面４２までの距離Ｄ１及び磁石２３から側面４４までの距離Ｄ２〜Ｄ５についても、リムーバー置台４の底面４２及び側面４４における磁束密度を十分に低減できる範囲であれば、実施例２の距離Ｄ１〜Ｄ５よりも長くしてもよいし、短くしてもよい。リムーバー置台４を支持する突起５２は、上部部品５に設けてもよいし、下部部品６に設けてもよい。また、突起５２は、リムーバー置台４の姿勢を安定させる観点から、少なくとも３か所あればよい。
【００９９】
また、実施例においては、周囲よりも弱い磁気吸引力を備えた美容剤拭き取り領域２５を備えたリムーバー１の例を示したが、美容剤拭き取り領域２５は、磁気吸引力を有さなくてもよい。
【符号の説明】
【０１００】
１  リムーバー
２  吸着ヘッド部
３  把持部
３１  付け根部
３１１  窪み部
４  リムーバー置台
４１  保持凹部
４１１  先端保持部
４１２  ガイド部
４１３  開口端部
【図１】
2019058557.tif 000003
【図２】
2019058557.tif 000004
【図３】
2019058557.tif 000005
【図４】
2019058557.tif 000006
【図５】
2019058557.tif 000007
【図６】
2019058557.tif 000008
【図７】
2019058557.tif 000009
【図８】
2019058557.tif 000010
【図９】
2019058557.tif 000011
【図１０】
2019058557.tif 000012
【図１１】
2019058557.tif 000013
【図１２】
2019058557.tif 000014
【図１３】
2019058557.tif 000015
【図１４】
2019058557.tif 000016
【図１５】
2019058557.tif 000017
【図１６】
2019058557.tif 000018
【図１７】
2019058557.tif 000019
【図１８】
2019058557.tif 000020
【図１９】
2019058557.tif 000021
【図２０】
2019058557.tif 000022
【図２１】
2019058557.tif 000023
【図２２】
2019058557.tif 000024
【図２３】
2019058557.tif 000025
【図２４】
2019058557.tif 000026
【図２５】
2019058557.tif 000027
【図２６】
2019058557.tif 000028
【図２７】
2019058557.tif 000029